(57)【要約】コンテンツ管理システムは、予めそれぞれ異なる個別コードが付与されている複数カードに対して、１つの代表コードを読み取るだけの容易な操作によってコンテンツを紐付けることができる。コンテンツ登録端末２０の撮像装置で、複数カードに対して設定されている単一の第１コード（代表コード）が読み取られると、予め個別コードが付与されている複数カードのそれぞれに対して、作成したコンテンツ５が紐付けられる。複数カードの１つを受領したコンテンツ視聴者は、そのカードに表示されている第２コードを読み取ってコンテンツ５を再生表示させる。
2016199841.tif 000002
【特許請求の範囲】
【請求項１】
第１ユーザが利用する第１ユーザ端末、及び、前記第１ユーザ端末にネットワークを介して接続されるコンテンツ管理サーバを含むコンテンツ管理システムであって、
前記第１ユーザ端末は、
物理的形状を有する媒体のグループに関連付けられた代表コードに基づいてグループコードを取得するグループコード取得手段と、
前記第１ユーザの指示に基づいて、コンテンツに関する情報と前記グループコードを前記コンテンツ管理サーバに対して送信する送信手段とを有し、
前記コンテンツ管理サーバは、
前記グループに属する媒体のそれぞれに対応するキーコードを当該グループのグループコードに対応付けて予め記憶するコード対応関係記憶手段を備え、
前記第１ユーザ端末から、前記コンテンツに関する情報と前記グループコードを受信する受信手段と、
前記受信手段により受信した前記コンテンツに関する情報と前記グループコードに基づいて、前記コンテンツを、（１）前記グループコードに対応付け、（２）又は前記コード対応関係記憶手段を参照して取得される、前記グループコードに対応するキーコードのそれぞれに対応付け、この対応関係をコンテンツ対応関係記憶手段に記憶するコンテンツ対応付け手段とを有することを特徴とするコンテンツ管理システム。
【請求項２】
前記第１ユーザとは異なる第２ユーザが利用する第２ユーザ端末をさらに含み、
前記第２ユーザ端末は、
前記媒体のそれぞれに付与された個別コードに基づいてキーコードを取得するキーコード取得手段と、
前記第２ユーザの指示に基づいて、前記キーコードを前記コンテンツ管理サーバに送信するキーコード送信手段とを有し、
前記コンテンツ管理サーバはさらに、
前記第２ユーザ端末から前記キーコードを受信した場合に、前記コンテンツ対応関係記憶手段を参照して、前記キーコードに対応する前記コンテンツを前記第２ユーザ端末に送信するコンテンツ送信手段を有し、
前記第２ユーザ端末はさらに、
前記コンテンツ管理サーバから受信した前記コンテンツを再生するよう制御するコンテンツ再生制御手段とを有することを特徴とする、請求項２に記載のコンテンツ管理システム。
【請求項３】
第１ユーザが利用する第１ユーザ端末、及び前記第１ユーザとは異なる第２ユーザが利用する第２ユーザ端末に、ネットワークを介して接続されるコンテンツ管理サーバであって、
前記コンテンツ管理サーバは、
物理的形状を有する媒体のグループに属する媒体のそれぞれに対応するキーコードを、当該グループのグループコードに対応付けて予め記憶するコード対応関係記憶手段を備え、
前記第１ユーザ端末から、コンテンツに関する情報と前記グループコードを受信する受信手段と、
前記受信手段により受信した前記コンテンツに関する情報と前記グループコードに基づいて、前記コンテンツを、（１）前記グループコードに対応付け、（２）又は前記コード対応関係記憶手段を参照して取得される、前記グループコードに対応するキーコードのそれぞれに対応付け、この対応関係をコンテンツ対応関係記憶手段に記憶するコンテンツ対応付け手段と、
前記第２ユーザ端末から、前記媒体のそれぞれに付与された個別コードに基づいて取得された前記キーコードを受信した場合に、前記コンテンツ対応関係記憶手段を参照して、前記キーコードに対応する前記コンテンツを前記第２ユーザ端末に送信するコンテンツ送信手段とを有することを特徴とするコンテンツ管理サーバ。
【請求項４】
前記個別コードは、前記媒体ごとに異なるユニークなコードとして設定され、
前記グループに属する媒体は、前記グループに関連付けられたグループコードを含む代表コードとともに、前記第１ユーザに提供されることを特徴とする、請求項３に記載のコンテンツ管理サーバ。
【請求項５】
前記第１ユーザ端末から前記グループコードを受信した場合に、前記コード対応関係記憶手段を参照して前記グループコードに対応するキーコードを取得し、前記取得されたキーコードを前記第１ユーザ端末に送信し、
前記第１ユーザ端末から、前記コンテンツに関する情報と、前記コンテンツに関する情報に対応付けられたキーコードを受信することを特徴とする、請求項３に記載のコンテンツ管理サーバ。
【請求項６】
前記コード対応関係記憶手段は、さらに、前記グループに属する媒体のそれぞれに対応するシリアルコードを当該グループのグループコードに対応付けて予め記憶し、
前記第１ユーザ端末から前記グループコードを受信した場合に、前記グループコードに対応する前記シリアルコードを前記第１ユーザ端末に送信し、
前記第１ユーザ端末から、前記コンテンツに関する情報と、前記コンテンツに関する情報に対応付けられたシリアルコードを受信し、
前記シリアルコードは、前記媒体のそれぞれにおいて、前記第１ユーザが視認可能な態様で表示されることを特徴とする、請求項３に記載のコンテンツ管理サーバ。
【請求項７】
前記第２ユーザ端末から、前記コンテンツの再生に関連した前記第２ユーザの視聴状況と、前記コンテンツに対応するキーコードを受信し、
前記視聴状況を前記キーコードに対応付けて、視聴状況記憶手段に記憶することを特徴とする、請求項３に記載のコンテンツ管理サーバ。
【請求項８】
第１ユーザが利用する第１ユーザ端末、及び前記第１ユーザとは異なる第２ユーザが利用する第２ユーザ端末に、ネットワークを介して接続されるコンテンツ管理サーバで実行されるコンテンツ管理方法であって、
前記コンテンツ管理サーバは、
物理的形状を有する媒体のグループに属する媒体のそれぞれに対応するキーコードを、当該グループのグループコードに対応付けて予め記憶するコード対応関係記憶手段を備え、
前記第１ユーザ端末から、コンテンツに関する情報と前記グループコードを受信する受信ステップと、
前記受信ステップにより受信した前記コンテンツに関する情報と前記グループコードに基づいて、前記コンテンツを、（１）前記グループコードに対応付け、（２）又はコード対応関係記憶手段を参照して取得される、前記グループコードに対応するキーコードのそれぞれに対応付け、この対応関係をコンテンツ対応関係記憶手段に記憶するコンテンツ対応付けステップと、
前記第２ユーザ端末から、前記媒体のそれぞれに付与された個別コードに基づいて取得された前記キーコードを受信した場合に、前記コンテンツ対応関係記憶手段を参照して、前記キーコードに対応する前記コンテンツを前記第２ユーザ端末に送信するコンテンツ送信ステップとを有することを特徴とするコンテンツ管理方法。
【発明の詳細な説明】
【技術分野】
【０００１】
この発明は、コンテンツと複数カードのような媒体を紐付けて管理するコンテンツ管理システムに関する。
【背景技術】
【０００２】
従来より、作成したコンテンツをサーバにアップロードし、不特定（又は特定）の視聴者に視聴させるよう管理するコンテンツ管理システムが存在する。【０００３】
また、特許文献１には、名刺などに記載された識別情報に基づいてアクセスを行うと、その識別情報に対応するプロフィール情報が受信できるという、情報提供システムが開示されている。【０００４】
またさらに、特許文献２には、利用者端末が、商品に印刷されたコードを読み取って、そのコードと利用者端末の識別情報とともにサーバに送信すると、そのサーバが、そのコードと識別情報の組み合わせの初回の受信時に、コンテンツ情報へのアクセスの有効期限を算出し、その組み合わせの初回以降の受信時には、その組み合わせの受信時刻が算出した有効期限内である場合に、受信した組み合わせに対応するコンテンツ情報等を利用者端末に送信するという情報提供システムが開示されている。
【先行技術文献】
【特許文献】
【０００５】
【特許文献１】特開２００７−１４９０２０号公報
【特許文献２】特許第４８９２３７６号公報
【発明の概要】
【発明が解決しようとする課題】
【０００６】
しかしながら、予め異なるコードが付与されている複数カード（例えば、１０枚セットや１００枚セットなど）をコンテンツ提供者が入手し、その複数カードに所定のコンテンツを紐付けて配布するといった仕組みはこれまでに提案されていない。【０００７】
さらに、上述した複数カードに対してそれぞれ異なる個別コードを付与し、複数カードの１つを受領した者（コンテンツ視聴者）が、そのカードに対応付けられたコンテンツに対してどのようなアクションをとったかを、コンテンツ提供者側で把握できるシステムについても、これまでに提案されていない。【０００８】
また、コンテンツ提供者が、それぞれ異なる個別コードが付与された上述の複数カードに対して、１つの代表コードを読み取るだけの容易な操作によってコンテンツを紐付けることができるようなシステムもこれまでに存在しない。【０００９】
従って、本発明の目的は、異なる個別コードが予め付与されている複数カードに対して、１つの代表コードを読み取るだけの容易な操作によってコンテンツを紐付けることができるコンテンツ管理システムを提供することにある。【００１０】
また、本発明の目的は、予め異なる個別コードが付与されている複数カードの１つを受領した者（コンテンツ視聴者）が、そのカードに対応付けられたコンテンツに対してどのようなアクションをとったかを、コンテンツ提供者側で把握できるコンテンツ管理システムを提供することにある。
【課題を解決するための手段】
【００１１】
本発明の第１の実施態様は、
第１ユーザ（例えば、コンテンツ提供者）が利用する第１ユーザ端末（例えば、コンテンツ登録端末２０）、及び、前記第１ユーザ端末にネットワークを介して接続されるコンテンツ管理サーバ（例えば、コンテンツ管理サーバ４０）を含むコンテンツ管理システム（例えば、コンテンツ管理システム１）であって、
前記第１ユーザ端末は、
物理的形状を有する媒体のグループ（例えば、図２（Ａ）に示すような、帯１２Ａによってひとまとまりにされた複数の個別カードからなる紙製カード１０Ａや、図３（Ｂ）に示すような、帯１７Ａによってひとまとまりにされた複数の個別ＩＣカードからなるＩＣカード１５Ａ等）に関連付けられた代表コード（例えば、図２（Ａ）の紙製カード１０Ａの場合は、帯１２Ａに表示された第１コード２であり、図３（Ｂ）のＩＣカード１５Ａの場合は、帯１７Ａに表示された第１コード２であり、図３（Ｃ）のＩＣカード１５Ｂの場合は、最初のカード（１５Ｂ−１）のＩＣチップに記憶されているコードである）に基づいてグループコードを取得する（例えば、図２（Ａ）の紙製カード１０Ａの場合は、帯１２Ａに表示された第１コード２が２次元コードであり、これを撮像装置で読み取り、ＯＣＲ処理を行ってコードを取得し、そのコードのなかに含まれるグループコードを取得し（ＯＣＲ処理で取得したコードがそのままグループコードである場合もある）、図３（Ｂ）のＩＣカード１５Ａの場合は、最初のカード（１５Ｂ−１）のＩＣチップに記憶されているコードをＩＣカードリーダ／ライタで読み取り、そのコードのなかに含まれるグループコードを取得し（ＩＣカードリーダ／ライタで読み取ったコードがそのままグループコードである場合もある））グループコード取得手段と、
前記第１ユーザの指示（例えば、図１４（Ｂ）に示す読取指示アイコン５７２をタッチする場合や、図１５に示す「Ｄｏｎｅ」アイコン５８３をタッチする指示）に基づいて、コンテンツ（例えば、図１１〜図１３に示すＧＵＩでコンテンツ提供者が作成・編集したコンテンツ）に関する情報（例えば、コンテンツのファイル名といった識別子や、コンテンツのデータそのもの）と前記グループコードを前記コンテンツ管理サーバに対して送信（例えば、コンテンツに関する情報とグループコードは同時に送信される場合もあるが、異なるタイミングで送信される場合もある）する送信手段とを有し、
前記コンテンツ管理サーバは、
前記グループに属する媒体のそれぞれに対応するキーコードを当該グループのグループコードに対応付けて予め記憶する（例えば、グループコードは、紙製カード１０Ａの全体に１つ付与され、キーコードは、紙製カード１０Ａのそれぞれのカード（個別カード）に付与されるが、このような対応関係は、紙製カード１０Ａが市販等されて第１ユーザに提供される前に記憶・管理される）コード対応関係記憶手段（例えば、図９（Ａ）に示すコンテンツ管理テーブル４７１）を備え、
前記第１ユーザ端末から、前記コンテンツに関する情報と前記グループコードを受信する受信手段と、
前記受信手段により受信した前記コンテンツに関する情報と前記グループコードに基づいて、前記コンテンツを、（１）前記グループコードに対応付け、（２）又は前記コード対応関係記憶手段を参照して取得される、前記グループコードに対応するキーコードのそれぞれに対応付け、この対応関係をコンテンツ対応関係記憶手段（例えば、図９（Ａ）に示すコンテンツ管理テーブル４７１（図示する例では、コンテンツ対応関係記憶手段と上述のコード対応関係記憶手段は１つのテーブルで実現されるが、個別のテーブルで管理してもよい）、また、この例では、上記（２）のように、コンテンツがそれぞれのキーコードに対応付けられているが、上記（１）のように、コンテンツがグループコードに対応付けられるようにしてもよい）に記憶するコンテンツ対応付け手段とを有するように構成される。【００１２】
このような本発明の構成によって、コンテンツ提供者が、異なる個別コードが予め付与されている複数カードに対して、１つの代表コードを読み取るだけの容易な操作によってコンテンツを紐付けることができる。【００１３】
本発明の第２の実施態様は、上記の第１の実施態様において、
前記第１ユーザとは異なる第２ユーザ（例えば、コンテンツ視聴者）が利用する第２ユーザ端末（例えば、コンテンツ視聴端末３０）をさらに含み、
前記第２ユーザ端末は、
前記媒体のそれぞれに付与された個別コードに基づいてキーコードを取得する（例えば、図２（Ａ）の紙製カード１０Ａの場合は、個別カードに表示された第２コード３が２次元コードであり、これを撮像装置で読み取り、ＯＣＲ処理を行ってコードを取得し、そのコードのなかに含まれるキーコードを取得し（ＯＣＲ処理で取得したコードがそのままキーコードである場合もある）、図３（Ｂ）のＩＣカード１５Ａの場合は、個別カードのＩＣチップに記憶されているコードをＩＣカードリーダ／ライタで読み取り、そのコードのなかに含まれるキーコードを取得し（ＩＣカードリーダ／ライタで読み取ったコードがそのままキーコードである場合もある））キーコード取得手段と、
前記第２ユーザの指示（例えば、図１８のステップＳ１１に示すように、第２ユーザが個別カードの第２コード３を、コンテンツ視聴端末３０に読み取らせる指示）に基づいて、前記キーコードを前記コンテンツ管理サーバに送信するキーコード送信手段とを有し、
前記コンテンツ管理サーバはさらに、
前記第２ユーザ端末から前記キーコードを受信した場合に、前記コンテンツ対応関係記憶手段を参照して、前記キーコードに対応する前記コンテンツ（例えば、図９（Ａ）に示すコンテンツ管理テーブル４７１の場合、キーコード（＝００００１）を受信して、対応するコンテンツファイル（＝ｘｘｘ１．ｍｐ４）を特定する、また、コンテンツがグループコードに対応付けられている場合は、キーコードに基づいて、コード対応関係記憶手段を参照して対応するグループコードを特定し、その特定されたグループコードに基づいて、コンテンツ対応関係記憶手段を参照して対応するコンテンツを特定する）を前記第２ユーザ端末に送信するコンテンツ送信手段を有し、
前記第２ユーザ端末はさらに、
前記コンテンツ管理サーバから受信した前記コンテンツを再生するよう制御するコンテンツ再生制御手段とを有するように構成される。【００１４】
本発明の第３の実施態様は、
第１ユーザが利用する第１ユーザ端末、及び前記第１ユーザとは異なる第２ユーザが利用する第２ユーザ端末に、ネットワークを介して接続されるコンテンツ管理サーバであって、
前記コンテンツ管理サーバは、
物理的形状を有する媒体のグループに属する媒体のそれぞれに対応するキーコードを、当該グループのグループコードに対応付けて予め記憶するコード対応関係記憶手段を備え、
前記第１ユーザ端末から、コンテンツに関する情報と前記グループコードを受信する受信手段と、
前記受信手段により受信した前記コンテンツに関する情報と前記グループコードに基づいて、前記コンテンツを、（１）前記グループコードに対応付け、（２）又は前記コード対応関係記憶手段を参照して取得される、前記グループコードに対応するキーコードのそれぞれに対応付け、この対応関係をコンテンツ対応関係記憶手段に記憶するコンテンツ対応付け手段と、
前記第２ユーザ端末から、前記媒体のそれぞれに付与された個別コードに基づいて取得された前記キーコードを受信した場合に、前記コンテンツ対応関係記憶手段を参照して、前記キーコードに対応する前記コンテンツを前記第２ユーザ端末に送信するコンテンツ送信手段とを有するように構成される。【００１５】
このような本発明の構成によって、コンテンツ提供者が、異なる個別コードが予め付与されている複数カードに対して、１つの代表コードを読み取るだけの容易な操作によってコンテンツを紐付けることができ、当該複数カードの１つを受領した者（コンテンツ視聴者）が、そのカードの個別コードを読み取ることによって、対応付するコンテンツを表示・再生することができる。【００１６】
本発明の第４の実施態様は、上記の第３の実施態様において、
前記個別コードは、前記媒体ごとに異なるユニークなコードとして設定され、
前記グループに属する媒体は、前記グループに関連付けられたグループコードを含む代表コードとともに、前記第１ユーザに提供される（例えば、図２（Ａ）に示すような、帯１２Ａによってひとまとまりにされた複数の個別カードからなる紙製カード１０Ａが市販され、これを購入した第１ユーザ（コンテンツ提供者）に提供される）ように構成される。【００１７】
本発明の第５の実施態様は、上記の第３の実施態様において、
前記第１ユーザ端末から前記グループコードを受信した場合に、前記コード対応関係記憶手段を参照して前記グループコードに対応するキーコードを取得し、前記取得されたキーコードを前記第１ユーザ端末に送信し、
前記第１ユーザ端末から、前記コンテンツに関する情報と、前記コンテンツに関する情報に対応付けられたキーコードを受信するように構成される。【００１８】
本発明の第６の実施態様は、上記の第３の実施態様において、
前記コード対応関係記憶手段は、さらに、前記グループに属する媒体のそれぞれに対応するシリアルコードを当該グループのグループコードに対応付けて予め記憶し、
前記第１ユーザ端末から前記グループコードを受信した場合に、前記グループコードに対応する前記シリアルコードを前記第１ユーザ端末に送信し、
前記第１ユーザ端末から、前記コンテンツに関する情報と、前記コンテンツに関する情報に対応付けられたシリアルコードを受信し、
前記シリアルコードは、前記媒体のそれぞれにおいて、前記第１ユーザが視認可能な態様で表示されるように構成される。【００１９】
本発明の第７の実施態様は、上記の第３の実施態様において、
前記第２ユーザ端末から、前記コンテンツの再生に関連した前記第２ユーザの視聴状況と、前記コンテンツに対応するキーコードを受信し、
前記視聴状況を前記キーコードに対応付けて、視聴状況記憶手段に記憶するように構成される。【００２０】
本発明の第８の実施態様は、
第１ユーザが利用する第１ユーザ端末、及び前記第１ユーザとは異なる第２ユーザが利用する第２ユーザ端末に、ネットワークを介して接続されるコンテンツ管理サーバで実行されるコンテンツ管理方法であって、
前記コンテンツ管理サーバは、
物理的形状を有する媒体のグループに属する媒体のそれぞれに対応するキーコードを、当該グループのグループコードに対応付けて予め記憶するコード対応関係記憶手段を備え、
前記第１ユーザ端末から、コンテンツに関する情報と前記グループコードを受信する受信ステップと、
前記受信ステップにより受信した前記コンテンツに関する情報と前記グループコードに基づいて、前記コンテンツを、（１）前記グループコードに対応付け、（２）又はコード対応関係記憶手段を参照して取得される、前記グループコードに対応するキーコードのそれぞれに対応付け、この対応関係をコンテンツ対応関係記憶手段に記憶するコンテンツ対応付けステップと、
前記第２ユーザ端末から、前記媒体のそれぞれに付与された個別コードに基づいて取得された前記キーコードを受信した場合に、前記コンテンツ対応関係記憶手段を参照して、前記キーコードに対応する前記コンテンツを前記第２ユーザ端末に送信するコンテンツ送信ステップとを有するように構成される。
【発明の効果】
【００２１】
本発明に係るコンテンツ管理システムによって、予め個別のコードが付与されている複数カードに対して、１つの代表コードのみを用いた容易な操作によってコンテンツを紐付けることができる。【００２２】
また、本発明に係るコンテンツ管理システムによって、予め個別のコードが付与されている複数カードの１つを受領した者（コンテンツ視聴者）が、そのカードに対応付けられたコンテンツに対してどのようなアクションをとったかを、コンテンツ提供者側で把握できるコンテンツ管理システムを提供することにある。
【図面の簡単な説明】
【００２３】
【図１】本発明の一実施形態に係るコンテンツ管理システム１の処理概要を説明するための概略図である。
【図２】本発明の一実施形態に係るコンテンツ管理システム１で利用されるカードのパターンを示す略線図である。
【図３】本発明の一実施形態に係るコンテンツ管理システム１で利用されるカードのパターンを示す略線図である。
【図４】本発明の一実施形態に係るコンテンツ管理システム１のコンテンツ登録端末のハードウエア構成の例を示す略線図である。
【図５】本発明の一実施形態に係るコンテンツ管理システム１のコンテンツ管理サーバのハードウエア構成の例を示す略線図である。
【図６】本発明の一実施形態に係るコンテンツ管理システム１のコンテンツ登録端末の機能ブロック図である。
【図７】本発明の一実施形態に係るコンテンツ管理システム１のコンテンツ視聴端末の機能ブロック図である。
【図８】本発明の一実施形態に係るコンテンツ管理システム１のコンテンツ管理サーバの機能ブロック図である。
【図９】本発明の一実施形態に係るコンテンツ管理システム１のデータベースを説明するための略線図である。
【図１０】本発明の一実施形態に係るコンテンツ管理システム１のデータベースを説明するための略線図である。
【図１１】本発明の一実施形態に係るコンテンツ管理システム１において、コンテンツを作成・編集し、登録を行うまでの操作を説明するための画面を示す略線図である。
【図１２】本発明の一実施形態に係るコンテンツ管理システム１において、コンテンツを作成・編集し、登録を行うまでの操作を説明するための画面を示す略線図である。
【図１３】本発明の一実施形態に係るコンテンツ管理システム１において、コンテンツを作成・編集し、登録を行うまでの操作を説明するための画面を示す略線図である。
【図１４】本発明の一実施形態に係るコンテンツ管理システム１において、コンテンツを作成・編集し、登録を行うまでの操作を説明するための画面を示す略線図である。
【図１５】本発明の一実施形態に係るコンテンツ管理システム１において、コンテンツを作成・編集し、登録を行うまでの操作を説明するための画面を示す略線図である。
【図１６】本発明の一実施形態に係るコンテンツ管理システム１で利用されるカードの別のパターンとデータベースを示す略線図である。
【図１７】本発明の一実施形態に係るコンテンツ管理システム１において、コンテンツを作成・編集し、登録を行うまでの操作を説明するための画面を示す略線図である。
【図１８】本発明の一実施形態に係るコンテンツ管理システム１において、コンテンツを視聴する場合の処理を表すフローチャートである。
【符号の説明】
【００２４】
１・・・コンテンツ管理システム
２・・・第１コード
３・・・第２コード
５・・・コンテンツ
１０・・・カード
２０・・・コンテンツ登録端末
３０・・・コンテンツ視聴端末
４０・・・コンテンツ管理サーバ
【発明を実施するための最良の形態】
【００２５】
最初に、本発明の一実施形態に係るコンテンツ管理システムの概要を、図１を参照して説明する。図１に示すコンテンツ管理システム１では、コンテンツ登録端末２０によって、コンテンツ５と、複数の個別カードからなるカード１０が紐付けられる。【００２６】
コンテンツ登録端末２０は、例えば、スマートフォン、携帯電話、デスクトップパソコンといったコンピュータである。コンテンツ５は、動画、静止画、音声などの、映像及び音声の少なくともいずれかを含んだデータ又はファイルである。【００２７】
カード１０は、例えば、名刺の形状をした紙製カードの集合であり、基本的には、コンテンツ登録端末２０のユーザ（コンテンツ提供者）によって、所定の対価により市場等で入手される。カード１０は、例えば、まとめて販売される、５枚、１０枚、１００枚といった単位の複数の個別カードの集合である。【００２８】
また、カード１０のそれぞれの個別カードには、互いに異なる第２コード３が印刷等によって表示される。ここで、第２コード３は、画像で表されるコードを示し、この第２コード３を撮像装置等で読み取って、ＯＣＲ等によりテキストに変換したものを個別コードと呼ぶ。個別コードには、その個別カードに１対１に対応するキーコードが含まれる。個別コードは、例えば、ＵＲＬであり、その場合、キーコードはＵＲＬの一部、又はＵＲＬのパラメータとして構成される。また、カード１０のそれぞれの個別カードに、第２コードとは別の、（ユーザがその内容を識別可能な）シリアルコードを表示させて、コンテンツ管理システム１で管理する個別カードがどのカードであるかを、シリアルコードにより把握できるようにすることもできる。【００２９】
また、カード１０（すなわち、複数の個別カード）には、１つの第１コード２が表示される。第１コード２は、複数の個別カードを束ねる帯に印刷されていたり、当該複数の個別カードを包装するフィルムに貼付されていたりして、それらの個別カードに対応するものであることが明らかな態様で提供される。ここで、第１コード２は、画像で表されるコードを示し、この第１コード２を撮像装置等で読み取って、ＯＣＲ等によりテキストに変換したものをグループコードと呼ぶ。従って、複数の個別カードからなるカード１０は、１つのグループコードに対応付けられる。また、複数の個別カードは、それぞれキーコードに対応付けられているので、これらのキーコードは、１つのグループコードに対応付けられることになる。【００３０】
コンテンツ登録端末２０のユーザは、コンテンツ登録端末２０を用いて、コンテンツ５を作成・編集し、そのコンテンツ５をコンテンツ管理サーバ４０に送信（登録）するとともに、上述の第１コード２を読み取ることにより、コンテンツ５を第１コード２から取得されたグループコード、又は当該グループコードに対応するキーコードやシリアルコードに紐付けるよう操作する。【００３１】
なお、ここでは、コンテンツ登録端末２０のユーザが、コンテンツ登録端末２０を用いてコンテンツ５の作成・編集を行うものとして説明しているが、コンテンツ登録端末２０ではコンテンツ５の作成・編集を行わず、既存のコンテンツ、又は他のコンピュータからコピーしたコンテンツをグループコード、キーコード、シリアルコード等に紐付けるようにしてもよい。また、コンテンツ登録端末２０からコンテンツ管理サーバ４０にコンテンツ５を送信することなく、コンテンツ管理サーバ４０に記憶されているコンテンツを、コンテンツ登録端末２０によるリモート操作により編集等してコンテンツ５を作成し、このコンテンツ５に対して、グループコード、キーコード、シリアルコード等を紐付けるように操作することもできる。【００３２】
コンテンツ登録端末２０とコンテンツ管理サーバ４０は、例えば、無線通信ネットワーク、及びインターネットを含むネットワークを介して接続される。【００３３】
コンテンツ管理サーバ４０は、コンテンツ登録端末２０から、コンテンツ５とグループコードを受信すると、受信したグループコードに対応するそれぞれのキーコードにコンテンツ５を対応付けて記憶する。これらのキーコードは、上述のように、個別カードにそれぞれ表示された第２コード３から取得可能なものであり、個別カードごとに異なる内容のものである。このキーコードは、全体としてユニークである（すなわち、同じキーコードの個別カードが存在しない）ことが望ましい。【００３４】
コンテンツ登録端末２０が、第１コード２から取得されたグループコードを元に、対応するキーコードを取得し、コンテンツ５の登録の際に、それぞれのキーコードとコンテンツ５を対応付けてコンテンツ管理サーバ４０に送信することもできる。【００３５】
個別カード（例えば、「ＵＲＬ１」の個別コードが取得されることとなる第２コード３が表示された個別カード）をなんらかの経緯で受領したコンテンツ視聴端末３０Ａのユーザ（コンテンツ視聴者）は、コンテンツ視聴端末３０Ａで第２コード３を読み取らせると、その第２コード３から個別コード「ＵＲＬ１」を取得し、その「ＵＲＬ１」にアクセスを行う。コンテンツ視聴端末３０は、例えば、スマートフォン、携帯電話、デスクトップパソコンといったコンピュータである。【００３６】
コンテンツ視聴端末３０Ａから「ＵＲＬ１」にアクセスがあると、コンテンツ管理サーバ４０から、その「ＵＲＬ１」に含まれるキーコードに対応するコンテンツ５のデータがコンテンツ視聴端末３０Ａで視聴できるようにダウンロードされる。また、この「ＵＲＬ１」へのアクセスに応じて、コンテンツ管理サーバ４０が、コンテンツ視聴端末３０Ａによるストリーミング再生が可能なように、コンテンツ５のデータをコンテンツ視聴端末３０Ａに送信することもできる。その他、様々な方法でコンテンツ５の再生が行われうる。なお、この場合、コンテンツ視聴端末３０Ａとコンテンツ管理サーバ４０は、例えば、無線通信ネットワーク、及びインターネットを含むネットワークを介して接続される。【００３７】
コンテンツ視聴端末３０Ｂは、コンテンツ視聴端末３０Ａと同様に、個別カードに表示された第２コード３を読み取ることにより、コンテンツ５を再生・表示する。すなわち、コンテンツ視聴端末３０Ｂのユーザは、コンテンツ視聴端末３０Ａのユーザが手にした個別カードとは異なる個別カード（例えば、「ＵＲＬ２」の個別コードが取得されることとなる第２コード３が表示された個別カード）をなんらかの経緯で受領し、その第２コード３から「ＵＲＬ２」を取得し、その「ＵＲＬ２」にアクセスすることによって、対応するコンテンツ５を視聴する。【００３８】
図１の例では、カード１０に含まれる複数の個別カードは１つのグループコードに対応付けられており、このような個別カードのそれぞれには、同一のコンテンツ５が対応付けられる。従って、コンテンツ視聴端末３０Ａ、及びコンテンツ視聴端末３０Ｂのそれぞれで再生・表示されるコンテンツ５は同一の内容のものである。【００３９】
なお、図１の例では、コンテンツ管理サーバ４０は、コンテンツ視聴端末３０（３０Ａ、３０Ｂ等）からのＨＴＴＰリクエストを受信して、要求されたコンテンツ５のデータをコンテンツ視聴端末３０に送信するＷＥＢサーバとして機能する（すなわち、「ＵＲＬ１」、「ＵＲＬ２」等は、コンテンツ管理サーバ４０のＩＰアドレスに対応付けられたドメイン名を含んでいる）。ただし、このような構成は一例であって、コンテンツ管理サーバ４０以外の他のコンピュータをＷＥＢサーバとすることもできる。【００４０】
また、上述の第１コード２や第２コード３のような画像で構成されるコードは、例えば、ＱＲコード（登録商標）のような２次元コードやバーコードのような１次元コードであり、コンテンツ登録端末２０やコンテンツ視聴端末３０の撮像装置で、これらのコードが読み取られ、その後、ＯＣＲ等により、グループコードや個別コードに相当するテキストデータが抽出される。【００４１】
なお、この例では、個別コードは、キーコードを含むＵＲＬとしたが、キーコードのみとすることもできるし（この場合、ＵＲＬは個別カードの別の箇所に表記され、当該ＵＲＬにアクセスして表示される画面でキーコードを入力する）、他のコード体系を用いることもできる。【００４２】
本発明のこのような仕組みにより、コンテンツ登録端末２０のユーザ等は、第１コード２を読み取るだけで、カード１０のそれぞれの個別カードにコンテンツ５を紐付けることができ、個別カードを受領したコンテンツ視聴端末３０のユーザは、その個別カードに表示された第２コード３をコンテンツ視聴端末３０に読み取らせるだけで、対応するコンテンツ５を視聴することができる。【００４３】
本発明のこのような仕組みは、例えば、知り合いにグリーティングカードを郵送する場合や、パーティー・会議等において、招待者に招待状のカードを郵送したり、参加者にお礼のカードを手渡したりする場合に利用することができる。これらのカード（個別カード）には、コンテンツ５を視聴するための情報（第２コード３）が印刷されているため、関係者に有用なメッセージを伝えることができる。このような仕組みにより、コンテンツ提供者は、簡単な操作で多くの人に、コンテンツ５を視聴させることができる。【００４４】
個別コードが、個別カードのような所定の物理的形状を有する媒体によってコンテンツ視聴者に提供されるため、個別コードが電子媒体として配布されるような状況（例えば、メール等にコンテンツ視聴のための情報が記載されるような場合）と比べて、コンテンツ視聴者をより狭い範囲に限定することができる。例えば、メール等でコンテンツのアドレスが配布された場合は、その情報が他人に転送されたり、ＳＮＳ上に開示されたりして、意図しない多くのコンテンツ視聴者が容易にそのコンテンツを視聴できるようになり、これを阻止するためにはシステム上特別の仕組みが必要となるが、本発明のように、所定の物理的形状を有する媒体によってコンテンツ視聴のための情報が提供された場合は、意図しないコンテンツ視聴者が当該コンテンツを視聴する可能性はより小さいものである。【００４５】
また、本発明のこのような仕組みでは、コンテンツ視聴のための情報が、物（所定の物理的形状を有する媒体）に表示される形で提供されるため、機械的に配布されるものではなく、心のこもった個人に対する贈り物としてコンテンツ５を位置づけることができる。【００４６】
次に、本発明の一実施形態に係るコンテンツ管理システム１で利用されうるカード１０（所定の物理的形状を有する媒体）の例を、図２、及び図３を参照していくつか説明する。【００４７】
図２（Ａ）に示すカード１０の例は、個別カードが紙製カード１０Ａで構成され、この例では、５つの個別カード（紙製カード１０Ａ−１〜１０Ａ−５）が含まれる。紙製カード１０Ａは、販売時点において帯１２Ａで１つにまとめられており、帯１２Ａには、第１コード２が印刷等により表示されている。【００４８】
個別カード（５つの個別カード）には、それぞれ第２コード３が印刷等により表示されている。第２コード３をテキスト変換した後の形態で表すと、この例では、紙製カード１０Ａ−１に、ＵＲＬ１を含む個別コードが対応付けられ、ＵＲＬ１にはキーコード（＝００００１）が含まれている。他の４つの個別カードも同様に、対応するＵＲＬを含む個別コードが対応付けられる。【００４９】
図２（Ｂ）に示すカード１０の例は、個別カードが紙製カード１０Ｂで構成され、複数の個別カードが含まれる。紙製カード１０Ｂは、販売時点において帯１２Ｂで１つにまとめられており、帯１２Ｂには、第１コード２が印刷等により表示されている。【００５０】
複数の個別カードには、それぞれ第２コード３が印刷等により表示されている。この例では、それぞれの個別カードの第２コード３に共通のＵＲＬが含まれ、個別カードの下部に、それぞれ異なるアクセスコードが表示されている。この場合、コンテンツ視聴者は、コンテンツ視聴端末３０によりＵＲＬにアクセスし、その結果表示されたＷＥＢページのアクセスコード入力エリアに、個別カードのアクセスコードを入力することによってコンテンツ５を再生・表示させる。【００５１】
図２（Ｃ）に示すカード１０の例は、個別カードが紙製カード１０Ｃで構成され、複数の個別カードが含まれる。紙製カード１０Ｃは、販売時点において帯１２Ｃで１つにまとめられており、帯１２Ｃには、第１コード２が印刷等により表示されている。【００５２】
複数の個別カードには、それぞれ共通のＵＲＬが印刷等により表示されている。さらに、この例では、個別カードの下部に、それぞれ異なるアクセスコードが表示されている。この場合、コンテンツ視聴者は、コンテンツ視聴端末３０にＵＲＬを手入力し、その結果表示されたＷＥＢページのアクセスコード入力エリアに、個別カードのアクセスコードを入力することによってコンテンツ５を再生・表示させる。【００５３】
図３（Ａ）に示すカード１０の例は、個別カードが紙製カード１０Ｄで構成され、複数の個別カードが含まれる。紙製カード１０Ｄは、帯やフィルムで１つにまとめられていたとしても、そこに第１コード２は表示されていない。【００５４】
複数の個別カードには、それぞれ第２コード３が印刷等により表示されている。この例では、それぞれの第２コード３には、個別カードに対応する個別のＵＲＬ（キーコードを含む）が含まれ、個別カードの右下部に、第１コード２が表示されている。この場合、コンテンツ提供者は、コンテンツ登録端末２０により、個別カードの右下部にある第１コード２を読み取ってグループコードを取得し、これに基づいて、コンテンツ５を紙製カード１０Ｄに対応付ける。また、コンテンツ視聴者は、コンテンツ視聴端末３０により第２コード３を読み取って、取得した個別のＵＲＬにアクセスし、コンテンツ５を再生・表示させる。【００５５】
グループコードを取得するための第１コード２は、コンテンツ提供者によってのみ用いられるので、紙製カード１０Ｄの最初の１つにだけ表示されていてもよい。また、コンテンツ視聴者には渡さない、第１コード２のみが表示された、コンテンツ登録用の個別カードを別途、含むようにしてもよい。【００５６】
図３（Ｂ）に示すカード１０の例は、個別カードがＩＣカード１５Ａで構成され、複数の個別カードが含まれる。ＩＣカード１５Ａは、販売時点において帯１７Ｂで１つにまとめられており、帯１７Ｂには、第１コード２が印刷等により表示されている。【００５７】
複数の個別カードには、非接触ＩＣカードリーダ／ライタで読み取り可能なＩＣチップが埋め込まれており、そのＩＣチップのそれぞれに個別コードが記憶されている。この例では、個別コードとして、それぞれの個別カードに対応するＵＲＬ（キーコードを含む）が記憶される。この場合、コンテンツ視聴者は、コンテンツ視聴端末３０の非接触ＩＣカードリーダ／ライタによりＩＣチップに記憶された個別コードを読み取り、個別コードが示すＵＲＬにアクセスし、コンテンツ５を再生・表示させる。【００５８】
図３（Ｃ）に示すカード１０の例は、個別カードがＩＣカード１５Ｂで構成され、複数の個別カード（ＩＣカード１５Ｂ−１〜１５Ｂ−５）が含まれる。ＩＣカード１５Ｂは、帯やフィルムで１つにまとめられていたとしても、そこに第１コード２は表示されていない。【００５９】
複数の個別カードには、非接触ＩＣカードリーダ／ライタで読み取り可能なＩＣチップが埋め込まれており、そのＩＣチップのそれぞれに個別コードが記憶されている。この例では、個別コードとして、それぞれの個別カードに対応するＵＲＬ（キーコードを含む）が記憶される。ただし、ＩＣカード１５Ｂの最初の１つ（ＩＣカード１５Ｂ−１）には、グループコードが記憶されており、コンテンツ提供者がコンテンツ登録端末２０の非接触ＩＣカードリーダ／ライタにより、この個別カードのＩＣチップからグループコードを読み取って、当該グループコードとコンテンツ５、又は当該グループコードに対応付けられたキーコードとコンテンツ５を対応付けた場合に、コンテンツ管理サーバ４０から、グループコードに対応する最初のキーコードが取得され、非接触ＩＣカードリーダ／ライタによってＩＣチップに当該キーコードを含む個別コードが記憶される。【００６０】
この処理により、ＩＣカード１５Ｂの最初の１つ（ＩＣカード１５Ｂ−１）は、他のＩＣカード１５Ｂ（ＩＣカード１５Ｂ−２〜１５Ｂ−５）と同様に、最終的には、個別コードが記憶されることになる。コンテンツ視聴者は、コンテンツ視聴端末３０の非接触ＩＣカードリーダ／ライタにより個別カードから個別コードを読み取り、その後、個別コードに含まれるＵＲＬにアクセスしてコンテンツ５を再生・表示させる。【００６１】
この例では、ＩＣカード１５Ｂの最初の１つ（ＩＣカード１５Ｂ−１）が、コンテンツ５を登録する際に、グループコードから個別コードに書き換えられるが、コンテンツ視聴者には渡されない（すなわち、グループコードのみが記憶された）グループコード記憶用の個別カードを含むようにしてもよい。【００６２】
ここまで、図２、及び図３を参照して、カード１０の様々な構成と、第１コード２、第２コード３、グループコード、及び個別コード等の設定の形態について説明したが、本発明における「所定の物理的形状を有する媒体」は、このようなカード１０に制限されるものではなく、他の様々な構成、及び形態をとることができる。【００６３】
次に、図４を参照して、コンテンツ登録端末２０のハードウエア構成の例について説明する。ただし、図４のコンテンツ登録端末２０は、スマートフォンについての代表的な構成を例示したにすぎない。他の様々なコンピュータをコンテンツ登録端末２０として利用することができる。【００６４】
コンテンツ登録端末２０は、ＣＰＵ（Central  Processing  Unit）２０１、メモリ２０２、インカメラ２０３ａ、アウトカメラ２０３ｂ、ＧＰＳ制御部２０４、ＧＰＳ用アンテナ２０５、無線信号処理部２０６、無線通信用アンテナ２０７、オーディオ制御部２０８、マイクロフォン２０９、スピーカ２１０、ディスプレイ制御部２１１、入力機器インタフェース２１２、タッチスクリーン２１３、非接触ＩＣカードリーダ／ライタ２１４、センサー２１５、補助記憶装置２１６、及び外部記録媒体インタフェース２１７を含んでいる。【００６５】
ＣＰＵ２０１は、コンテンツ登録端末２０の各構成要素の動作を制御し、ＯＳの制御下で、各機能を実行する。【００６６】
メモリ２０２は通常ＲＡＭ（Random  Access  Memory）で構成される。メモリ２０２には、ＣＰＵ２０１で実行される各機能を実現するためのプログラムが実行時にロードされ、当該プログラムに必要なデータ等が一時的に記憶される。【００６７】
インカメラ２０３ａ、アウトカメラ２０３ｂは、コンテンツ登録端末２０に内蔵される小型の撮像装置で、撮像素子がＣＣＤやＣＭＯＳといったタイプのものがある。これらのカメラによって撮影された動画や静止画に基づいてコンテンツ５が作成される。インカメラ２０３ａは、後述するタッチスクリーン２１３の付近に設けられた内側のカメラであり、通常はアウトカメラ２０３ｂより解像度が低いサブカメラの位置付けである。アウトカメラ２０３ｂは、後述するタッチスクリーン２１３の反対側に設けられた外側のカメラであり、通常はアウトカメラ２０３ｂより解像度が高いメインカメラの位置付けである。【００６８】
ＧＰＳ制御部２０４は、ＧＰＳ用アンテナ２０５を介して、複数のＧＰＳから信号を受信し、コンテンツ登録端末２０の位置を調べる。こうして求められた位置情報は、後述する補助記憶装置２１６等に記憶され、必要に応じてプログラムで利用される。【００６９】
無線信号処理部２０６は、無線通信用アンテナ２０７を介して携帯電話基地局と通信を行い、他の機器との間での通話データの送受信や、（インターネットを介した）他端末との間でのＷＥＢページやメールデータの送受信を制御する。また、無線信号処理部２０６は、無線通信用アンテナ２０７を用いて無線ＬＡＮアクセスポイントとの間で無線ＬＡＮによる通信を実現し、インターネット経由のデータ送受信を行う（ここでは、便宜上、無線信号処理部２０６と無線通信用アンテナ２０７が、携帯電話基地局との間の無線通信及び無線ＬＡＮアクセスポイントとの間の無線通信を行うものとした）。【００７０】
オーディオ制御部２０８は、マイクロフォン２０９とスピーカ２１０を制御して無線通信による通話を実現し、一方で、アプリケーションにおいて動画や音楽を再生する場合に、音声を出力するよう制御する。【００７１】
タッチスクリーン２１３は、例えば、ＬＣＤ（Liquid  Crystal  Display）などで構成される表示装置で情報を表示するとともに、ユーザが指などで画面表面をタッチした（押した）位置を、抵抗膜方式や静電容量方式などのタッチセンサーで検知する。ディスプレイ制御部２１１は、ＣＰＵ２０１が発行する描画データを処理して、例えば、ＷＥＢページや動画等を、タッチスクリーン２１３の表示装置に出力する。入力機器インタフェース２１２は、タッチスクリーン２１３のタッチセンサーが、ユーザによる操作を検知し、これを所定の信号としてＣＰＵ２０１に送信する。【００７２】
非接触ＩＣカードリーダ／ライタ２１４は、非接触ＩＣチップが埋め込まれたカードがコンテンツ登録端末２０の所定の位置にかざされた場合に、ＣＰＵ２０１の指令に基づいて、そのＩＣチップに記憶されているデータを読み取り、又は、ＩＣチップに所定のデータを書き込む。【００７３】
センサー２１５は、タッチスクリーン２１３のタッチセンサー以外のセンサーであり、モーションセンサー、光センサー、近接センサーなどがある。【００７４】
補助記憶装置２１６は、例えば、フラッシュメモリと呼ばれる半導体メモリやハードディスクで構成される。補助記憶装置２１６は、ＣＰＵ２０１で実行される各機能を実現するためのプログラムを記憶するほか、各種データを記憶する。【００７５】
外部記録媒体インタフェース２１７は、外部記録媒体２２０にアクセスして、そこに記録されているデータを読み取る。外部記録媒体２２０は、例えば、可搬型のフラッシュメモリである。ＣＰＵ２０１で実行され本発明の各機能を実現するためのプログラムは、この外部記録媒体インタフェース２１７や、前述したような、無線信号処理部２０６及び無線通信用アンテナ２０７を介した携帯電話網やネットワークを経由してコンテンツ登録端末２０に提供される。【００７６】
図４は、スマートフォンがコンテンツ登録端末２０として用いられた場合の構成を示しているが、例えば、携帯電話等がコンテンツ登録端末２０として用いられた場合、これらがタッチスクリーンを備えていなければ、ディスプレイ制御部２１１には、ＬＣＤ等からなる表示装置が接続され、入力機器インタフェース２１２にはボタン等が接続される。【００７７】
また、一般的なＰＣがコンテンツ登録端末２０として用いられた場合、外部ネットワークに接続するためのネットワークインタフェースが追加され、ディスプレイ制御部２１１には、ＬＣＤ等からなる組み込み型又は別筐体の表示装置が接続され、入力機器インタフェース２１２には、キーボードやマウスが接続される。【００７８】
なお、コンテンツ視聴端末３０も、図４に示した構成と同様のスマートフォンとすることができる。【００７９】
次に、図５を参照して、コンテンツ管理サーバ４０のハードウエア構成の例について説明する。ただし、図５のコンテンツ管理サーバ４０は、一般的なサーバコンピュータについての代表的な構成を例示したにすぎない。他の様々なコンピュータをコンテンツ管理サーバ４０として利用することができる。【００８０】
コンテンツ管理サーバ４０は、ＣＰＵ４０１、メモリ４０２、ネットワークインタフェース４０３、ディスプレイコントローラ４０４、ディスプレイ４０５、入力機器インタフェース４０６、キーボード４０７、マウス４０８、外部記憶装置４０９、及び外部記録媒体駆動装置４１０を含んでいる。【００８１】
ＣＰＵ４０１は、コンテンツ管理サーバ４０のコンテンツ登録端末２０の各構成要素の動作を制御し、ＯＳの制御下で、各機能を実行する。【００８２】
メモリ４０２は通常、不揮発性メモリであるＲＯＭ（Read  Only  Memory）、及び揮発性メモリであるＲＡＭ（Random  Access  Memory）から構成される。ＲＯＭには、コンテンツ管理サーバ４０の起動時に実行されるプログラム等が格納される。ＲＡＭには、ＣＰＵ４０１で実行されるプログラムや、それらのプログラムが実行中に使用するデータ等が一時的に格納される。【００８３】
ネットワークインタフェース４０３は、ネットワーク４２０に接続するためのインタフェースである。ネットワーク４２０は、例えば、無線通信ネットワーク、及びインターネットを含むネットワークである。【００８４】
ディスプレイコントローラ４０４は、ＣＰＵ４０１が発行する描画命令を実際に処理するための専用コントローラである。ディスプレイコントローラ４０４で処理された描画データは、一旦グラフィックメモリに書き込まれ、その後、ディスプレイ４０５に出力される。ディスプレイ４０５は、例えば、ＬＣＤ（Liquid  Crystal  Display）で構成される表示装置である。【００８５】
入力機器インタフェース４０６は、キーボード４０７やマウス４０８から入力された信号を受信して、その信号パターンに応じて所定の指令をＣＰＵ４０１に送信する。【００８６】
外部記憶装置４０９は、例えば、ハードディスクドライブ（ＨＤＤ）のような記憶装置であり、この装置内には上述したプログラムやデータが記録され、実行時に、必要に応じてそこからメモリ４０２のＲＡＭにロードされる。【００８７】
外部記録媒体駆動装置４１０は、ＣＤ（Compact  Disc）、ＤＶＤ（Digital  Versatile  Disc）などの可搬型の外部記録媒体４３０の記録面にアクセスして、そこに記録されているデータを読み取る装置である。外部記録媒体４３０には、本発明に係るコンテンツ管理方法を実現するためのプログラムも記録することが可能である。外部記録媒体４３０に記録されているデータは、外部記録媒体駆動装置４１０を介して外部記憶装置４０９に格納され、プログラムであれば、実行時にメモリ４０２のＲＡＭにロードされる。【００８８】
なお、コンテンツ管理サーバ４０では、管理者等による操作の必要がない場合や、リモート接続によって操作される場合は、上述したディスプレイコントローラ４０４、ディスプレイ４０５、入力機器インタフェース４０６、キーボード４０７、及びマウス４０８は不要である。【００８９】
次に、図６の機能ブロック図を参照して、コンテンツ登録端末２０の機能の概要について説明する。図６に示すように、コンテンツ登録端末２０は、コンテンツ作成・編集部２５１、コンテンツ登録部２５２、撮像制御部２５３、入出力制御部２５４、及びネットワークＩ／Ｆ部２５５を含んでいる。また、コンテンツ登録端末２０の補助記憶装置２１６には、コンテンツファイル２７１、及びプロジェクトファイル２７２が格納される。【００９０】
コンテンツ作成・編集部２５１は、コンテンツ登録端末２０のユーザによる操作に基づいて、コンテンツ５の作成や編集を行う。コンテンツ５の一部を構成する画像（動画、静止画）は、後述の撮像制御部２５３によって取得することもできるし、既存の画像を読み込んで利用することもできる。また、コンテンツ作成・編集部２５１は、ＷＥＢアプリケーションにより実行されうる。【００９１】
コンテンツ登録部２５２は、コンテンツ登録端末２０のユーザによる操作に基づいて、コンテンツ作成・編集部２５１により完成されたコンテンツ５を、コンテンツ管理サーバ４０に登録するとともに、複数の個別カードからなるカード１０に関連付けられたグループコードや、当該グループコードに対応するキーコードやシリアルコードに、登録するコンテンツ５を対応付け、コンテンツ管理サーバ４０に送信する。コンテンツ登録端末２０の補助記憶装置２１６に記憶されるコンテンツファイル２７１はコンテンツ５のデータを記憶し、プロジェクトファイル２７２はコンテンツ５の作成や編集に係る設定データ等を記憶する。これらのファイルは、コンテンツ５がコンテンツ管理サーバ４０に登録される際に、コンテンツ管理サーバ４０に送信され、後述するように、それぞれ、コンテンツファイル４７４、プロジェクトファイル４７５として記憶される（なお、コンテンツ登録端末２０には、編集等のために、一時的に記憶するように構成することもできる）。【００９２】
なお、コンテンツ登録部２５２は、ユーザ（コンテンツ提供者）が、例えば、カード１０をひとまとめに束ねていた帯等に表示されている第１コード２を撮像装置で読み取らせた後、テキストデータに変換することによってグループコードを取得し、当該グループコードをコンテンツ５に対応付けることができる。またさらに、グループコードを用いて、図９（Ａ）に示すコンテンツ管理テーブル４７１や図１６（Ｂ）に示すコンテンツ管理テーブル４７１’から、対応するキーコードやシリアルコードを取得し、それらのキーコードやシリアルコードをコンテンツ５に対応付けるようにすることもできる。また、コンテンツ登録部２５２は、ＷＥＢアプリケーションにより実行されうる。また、後述するように、コンテンツ作成・編集部２５１によるコンテンツの作成や編集の一連の処理においてコンテンツ登録部２５２を実行することができる。【００９３】
撮像制御部２５３は、コンテンツ登録端末２０のユーザによる操作に基づいて、図４に示すコンテンツ登録端末２０のインカメラ２０３ａやアウトカメラ２０３ｂを制御して、カード１０をひとまとめに束ねていた帯等に表示されている第１コード２を読み取る。また、コンテンツ５を作成するための画像を撮影し、コンテンツ作成・編集部２５１に提供する。【００９４】
入出力制御部２５４は、図４に示すコンテンツ登録端末２０のタッチスクリーン２１３、及び入力機器インタフェース２１２を介して得られるユーザの操作に係る信号をＣＰＵ２０１に送信するとともに、ＣＰＵ２０１の指令に基づいて、コンテンツ５の作成や編集に係る画面、コンテンツ５の登録に係る画面、及び撮影された画像等を、ディスプレイ制御部２１１を介してタッチスクリーン２１３に表示するよう制御する。【００９５】
ネットワークＩ／Ｆ部２５５は、図４に示すコンテンツ登録端末２０の無線信号処理部２０６等を制御して、コンテンツ管理サーバ４０との間のデータ送受信を実現する。【００９６】
次に、図７の機能ブロック図を参照して、コンテンツ視聴端末３０の機能の概要について説明する。図７に示すように、コンテンツ視聴端末３０は、コンテンツ再生制御部３５１、コンテンツ視聴状況送信部３５２、撮像制御部３５３、入出力制御部３５４、及びネットワークＩ／Ｆ部３５５を含んでいる。【００９７】
コンテンツ再生制御部３５１は、コンテンツ視聴端末３０のユーザによる操作に基づいて、コンテンツ５の再生を制御する（例えば、コンテンツ５の映像をタッチスクリーン上に表示し、コンテンツ５の音声をスピーカにより出力するよう制御する）。コンテンツ５のデータは、コンテンツ管理サーバ４０から、無線信号処理部等を経由して取得し、ダウンロード形式やストリーミング形式など、様々な方法でコンテンツ５の再生を行うことができる。なお、コンテンツ再生制御部３５１は、ユーザが、個別カードに印刷等により表示されている第２コード３を撮像装置で読み取らせた後、テキストデータに変換することによって個別コード（キーコードを含んだＵＲＬ）を取得し、当該ＵＲＬによってコンテンツ管理サーバ４０にアクセスし、再生するコンテンツ５を特定する。また、コンテンツ再生制御部３５１は、ＷＥＢアプリケーションにより実行されうる。【００９８】
コンテンツ視聴状況送信部３５２は、コンテンツ登録端末２０のユーザによるコンテンツ５の視聴状況を把握し、ユーザの視聴状況を示す視聴状況情報とキーコードを、所定のタイミングで、無線信号処理部等を経由してコンテンツ管理サーバ４０に送信する。視聴状況情報には、例えば、コンテンツ５の再生指示タイミング、再生時間、再生回数、（途中で再生を中止した場合の）停止位置、（途中から再生を開始した場合の）開始位置等が含まれる。また、インカメラやアウトカメラ等の撮像装置により取得されるユーザの表情や状態、生体情報を視聴状況情報に含めることができ、さらに、モーションセンサー、光センサー、近接センサーといったセンサー類によって取得可能な情報を視聴状況情報に含めることができる。【００９９】
撮像制御部３５３は、コンテンツ視聴端末３０のユーザ（コンテンツ視聴者）による操作に基づいて、インカメラやアウトカメラ等の撮像装置を制御して、コンテンツ５を再生する際に、個別カードに印刷等により表示されている第２コード３を撮影する。また、ユーザがコンテンツ５を視聴している際の視聴状況を撮影する。【０１００】
入出力制御部３５４、及びネットワークＩ／Ｆ部３５５は、コンテンツ登録端末２０の機能と同様である。【０１０１】
次に、図８の機能ブロック図を参照して、コンテンツ管理サーバ４０の機能の概要について説明する。図８に示すように、コンテンツ管理サーバ４０は、コード管理部４５１、コンテンツ作成・編集管理部４５２、コンテンツ登録管理部４５３、コンテンツ再生管理部４５４、コンテンツ視聴状況管理部４５５、及びネットワークＩ／Ｆ部４５６を含んでいる。また、外部記憶装置４０９には、コンテンツ管理テーブル４７１、プロジェクト管理テーブル４７２、コンテンツ視聴状況管理テーブル４７３、コンテンツファイル４７４、及びプロジェクトファイル４７５が記憶される。【０１０２】
コード管理部４５１は、例えば、管理者等から入力されたグループコードとキーコードの対をコンテンツ管理テーブル４７１に記憶し、管理する。コンテンツ管理テーブル４７１では、図９（Ａ）に示すように、１つのグループコードに対して複数のキーコードが対応付けられている。これは、市場等に提供されるカード１０に対応付けられ、帯等に表示されている第１コード２から得られる１つのグループコードと、それぞれの個別カードに表示されている第２コード３から得られる個別コードに含まれるキーコードの関係に対応している。【０１０３】
コンテンツ作成・編集管理部４５２は、コンテンツ登録端末２０のユーザの操作に応じて、コンテンツ登録端末２０のコンテンツ作成・編集部２５１の処理に対応するコンテンツの作成や編集に係る処理（例えば、画面の表示指示や画像のエフェクト処理等）を行う。なお、コンテンツ作成・編集管理部４５２は、コンテンツ登録端末２０のコンテンツ作成・編集部２５１がＷＥＢアプリケーションである場合は、ＷＥＢサーバとしても機能する。【０１０４】
また、コンテンツ登録端末２０から、コンテンツ５のデータを受信すると、コンテンツ５のデータをコンテンツファイル４７４に格納する。また、コンテンツ登録端末２０からプロジェクトファイルを受信すると、これをプロジェクトファイル４７５に格納し、図９（Ｂ）に示すように、このプロジェクトファイル（例えば、Ｕ００１０１．ｐｒｊ）を、ユーザＩＤごとにプロジェクト管理テーブル４７２に記憶する。【０１０５】
コンテンツ登録管理部４５３は、コンテンツ登録端末２０から、グループコードと、それに対応付けられたコンテンツ５を受信した場合、当該グループコードに応じてコンテンツ５のデータに対応するコンテンツファイル名をコンテンツ管理テーブル４７１に記憶する。例えば、コンテンツ登録端末２０からグループコード（Ｇ００１）とコンテンツ５のデータ（コンテンツファイル（ｘｘｘ１．ｍｐ４））を受信した場合、コンテンツ管理テーブル４７１では、図９（Ａ）に示すように、グループコード（Ｇ００１）に対応するそれぞれのキーコード（００００１〜００００５）に、そのコンテンツファイル（ｘｘｘ１．ｍｐ４）が対応付けられるよう記憶する。【０１０６】
また、コンテンツ登録管理部４５３は、キーコードと、それぞれのキーコードに対応付けられたコンテンツ５のデータを受信した場合、当該キーコードに応じてコンテンツ５のデータに対応するコンテンツファイル名をコンテンツ管理テーブル４７１に記憶する。例えば、コンテンツ登録端末２０からキーコード（００００１〜００００５）とコンテンツ５のデータ（コンテンツファイル（ｘｘｘ１．ｍｐ４））を受信した場合、コンテンツ管理テーブル４７１では、図９（Ａ）に示すように、それぞれのキーコード（００００１〜００００５）に、そのコンテンツファイル（ｘｘｘ１．ｍｐ４）が対応付けられるよう記憶する。【０１０７】
このように、コンテンツ登録端末２０においてコンテンツ５の登録が行われる場合、一旦、コンテンツ管理テーブル４７１から、グループコードに対応するキーコードを取得すれば、当該キーコードとコンテンツ５を対応付けてコンテンツ管理サーバ４０に送信することができる。【０１０８】
また、コンテンツ登録管理部４５３は、コンテンツ登録端末２０からコンテンツ５の登録がされた場合に、図１０に示すコンテンツ視聴状況管理テーブル４７３に、コンテンツ登録の日時をキーコードに対応付けて記憶する。なお、コンテンツ登録管理部４５３は、コンテンツ登録端末２０のコンテンツ登録部２５２がＷＥＢアプリケーションである場合は、ＷＥＢサーバとしても機能する。【０１０９】
コンテンツ再生管理部４５４は、コンテンツ視聴端末３０のユーザの操作に応じて、コンテンツ視聴端末３０のコンテンツ再生制御部３５１の処理に対応する処理を行う。例えば、個別コードに含まれるキーコードに応じて、コンテンツ管理テーブル４７１からそのキーコードに対応するコンテンツファイルを判定し、そのコンテンツ５を再生できるようにダウンロードしたり、ストリーミング再生したりするよう制御する。また、ユーザの再生開始や再生停止等の操作に応じて、コンテンツ５の再生を制御する。【０１１０】
コンテンツ視聴状況管理部４５５は、コンテンツ視聴端末３０のコンテンツ視聴状況送信部３５２から送信されるキーコードと視聴状況情報に基づいた情報を、図１０に示すようなコンテンツ視聴状況管理テーブル４７３に、キーコードに対応付けて記憶する。例えば、視聴状況情報に含まれるコンテンツ５の再生指示タイミングから、コンテンツ５が最初に視聴された日時（「コンテンツ初回視聴」の項目）や視聴回数（「視聴回数」の項目）を求め、コンテンツ視聴状況管理テーブル４７３に記憶する。また、視聴状況情報に含まれるユーザの表情や状態、生体情報等から、視聴者の応答に関するパターン（「視聴者応答パターン」の項目）を求め、コンテンツ視聴状況管理テーブル４７３に記憶する。【０１１１】
また、コンテンツ視聴状況管理部４５５は、コンテンツ登録端末２０のユーザ（コンテンツ提供者）の操作に応じて、コンテンツ視聴状況管理テーブル４７３に記憶されたデータや当該データの分析結果を、コンテンツ登録端末２０に提供する。このような仕組みによって、コンテンツ提供者は、自身で配布した個別カードによりコンテンツ５の視聴を促した結果、どの程度の人数（割合）でそのコンテンツ５が視聴されたか、どのような視聴状況であったかを把握することができる。なお、コンテンツ視聴状況管理テーブル４７３に記憶されたデータが、どのコンテンツ５に関するものであるかは、キーコードによって把握することができる。また、キーコードとコンテンツ提供者のユーザＩＤを対応付けて管理することによって（対応するデータベースは不図示）、コンテンツ提供者に関するコンテンツ５の視聴状況のデータだけが、そのコンテンツ提供者に提供される。【０１１２】
ネットワークＩ／Ｆ部４５６は、図５に示すコンテンツ管理サーバ４０のネットワークインタフェース４０３等を制御して、インターネット等のネットワークに接続し、コンテンツ登録端末２０やコンテンツ視聴端末３０との間のデータ送受信を実現する。【０１１３】
次に、図１１ないし図１５を参照して、コンテンツ５を作成し、コンテンツ管理サーバ４０にこのコンテンツ５を登録するまでの流れを、コンテンツ登録端末２０のタッチスクリーン２１３に表示される画面に基づいて説明する。この例では、コンテンツ５は、グループコードに対応するキーコードに対応付けられて登録される。【０１１４】
図１１（Ａ）は、コンテンツ５の作成や編集に関するデータや条件等を設定するプロジェクトを管理するプロジェクト管理画面５００である。コンテンツ登録端末２０のユーザは、アプリケーションを起動し、コンテンツ５の新規作成を行うようメニューを選択する。その後、コンテンツのタイプ（例えば、「Ｂｉｒｔｈｄａｙ」、「Ｃｏｎｇｒａｔｕｌａｔｉｏｎｓ」、「Ｔｈａｎｋ  ｙｏｕ」といった、状況に応じたタイプ）を選択し、さらに、そのタイプごとに用意されているひな形（パターン）のなかから１つを選択する。このような操作を行った結果表示された画面が、図１１（Ａ）のプロジェクト管理画面５００である。【０１１５】
図１１（Ａ）のプロジェクト管理画面５００は、コンテンツ５を構成する構成要素のそれぞれを定義できるように各種アイコンが用意されている。例えば、「Ｔ１」アイコン５０１、及び「Ｔ２」アイコン５０４は、テキストメッセージＴ１、Ｔ２を入力するためのアイコンであり、「Ｍ１」アイコン５０２は、動画Ｍ１を設定するためのアイコンであり、「Ｅ」アイコン５０３は、動画再生時等に付加するエフェクト（例えば、壁紙等の設定）であるエフェクトＥを定義するためのアイコンである。また、「Ｍ１」アイコン５０２の右側には、現時点で「Ｍ１」アイコン５０２を選択すると実行される機能を表す機能表示５０５（この例では、「Ａｓｓｉｇｎ」、すなわち、動画の割り当て）が示されている。【０１１６】
プロジェクト管理画面５００の右上に配置されている「＋」アイコン５０７は、コンテンツ５を構成する構成要素を追加するためのアイコンである。また、プロジェクト管理画面５００の左下に配置されている「ＢＡＣＫ」アイコン５０８は、１つ前の画面に戻るためのアイコンである。「ＢＡＣＫ」アイコンは、以降で説明する全ての画面に共通して配置されているが、「ＢＡＣＫ」アイコン５０８の機能と同じであるため、説明は省略する。【０１１７】
ここで、「Ｍ１」アイコン５０２をタッチすると（矢印５０６参照）、図１１（Ｂ）に示すムービー撮影画面５１０に遷移し、コンテンツ登録端末２０のアウトカメラ２０３ｂが起動する。ムービー撮影画面５１０には、カメラで撮像されている画像が表示される画像表示エリア５１１が設けられる。ここで、録画アイコン５１２をタッチすると、ムービーの録画が行われ、保存された動画データが、動画Ｍ１としてコンテンツ５の構成要素となる。ムービー撮影画面５１０に表示された「Ｉｍｐｏｒｔ」アイコン５１３は、これをタッチすると、コンテンツ登録端末２０の補助記憶装置２１６や他のコンピュータに保存されている画像をインポートし、コンテンツ５の構成要素として取り込むことができる。「Ｉｎ／Ｏｕｔ」アイコン５１４をタッチすると、コンテンツ登録端末２０のインカメラ２０３ａとアウトカメラ２０３ｂを切り換えることができる。【０１１８】
図１２（Ａ）は、図１１（Ａ）のプロジェクト管理画面５００で「＋」アイコン５０７がタッチされた場合に表示される、コンポーネント選択画面５２０である。コンポーネント選択画面５２０では、追加可能な構成要素のメニューがメニュー表示５２１に表示されており、メニュー表示５２１には、「１．Ｍｏｖｉｅ」、及び「２．Ｔｅｘｔ  Ｍｅｓｓａｇｅ」が設定されている。ここで、「１．Ｍｏｖｉｅ」を選択すると（矢印５２２参照）、図１２（Ｂ）のプロジェクト管理画面５３０に遷移する。【０１１９】
図１２（Ｂ）のプロジェクト管理画面５３０では、構成要素として動画Ｍ２が追加されているため、図１１（Ａ）のプロジェクト管理画面５００と比較すると、「Ｍ２」アイコン５３６が追加されている。また、ここでは、タイトル５３１が編集され、追加されている。また、テキストメッセージＴ１が編集されており、「Ｔ１」アイコン５３２が図１１（Ａ）の「Ｔ１」アイコン５０１から変化し、さらに「Ｔ１」アイコン５３２の右側に、機能表示５３３（「Ｒｅｔａｋｅ」、すなわち、テキストメッセージの再設定）が表示されている。【０１２０】
また、動画Ｍ１は、図１１（Ｂ）に示すようにムービー撮影により動画が設定されているため、「Ｍ１」アイコン５３４が図１１（Ａ）の「Ｍ１」アイコン５０２から変化し、さらに「Ｍ１」アイコン５３４の右側に、機能表示５３５（「Ｒｅｔａｋｅ」、すなわち、動画の再設定）が表示されている。また、追加された「Ｍ２」アイコン５３６の右側には、機能表示５３７（「Ａｓｓｉｇｎ」、すなわち、動画の割り当て）が表示されている。【０１２１】
その後、図１３（Ａ）のプロジェクト管理画面５４０に示すように、動画Ｍ２を設定し、「Ｍ２」アイコン５４１の右側には、機能表示５４２（「Ｒｅｔａｋｅ」、すなわち、動画の再設定）が表示されている。ここで、「Ｅ」アイコン５４３をタッチすると（矢印５４４参照）、図１３（Ｂ）のエフェクト編集画面５５０に遷移する。エフェクト編集画面５５０では、コンテンツ５のプレビュー表示が行われるコンテンツ再生表示５５１、及び各種エフェクト（この例では、「Ｗａｌｌｐａｐｅｒ」エフェクト５５２、「Ｃｏｌｏｒ」エフェクト５５３、「Ｐａｔｔｅｒｎ１」エフェクト５５４、「Ｐａｔｔｅｒｎ２」エフェクト５５５）の表示が行われており、ユーザがエフェクトの１つを選択すると、そのエフェクトの内容が、コンテンツ再生表示５５１における表示に反映される。【０１２２】
上記のようにコンテンツ５が作成・編集されると、ユーザは、メニューを選択し、コンテンツ登録端末２０のタッチスクリーン２１３に図１４（Ａ）の送り先選択画面５６０を表示させる。送り先選択画面５６０には、メニュー表示５６１が表示され、コンテンツ５の送り先を、５つの選択肢から選択することができる。この例では、「１．Ｃａｒｄ」（カード１０）、「２．Ａｄｄｒｅｓｓ」（ＳＭＳのアドレス）、「３．Ｅ−ｍａｉｌ」（電子メール）、「４．ＳＮＳ１」、及び「５．ＳＮＳ２」が設定されている。ここで、「１．Ｃａｒｄ」を選択すると（矢印５６２参照）、図１４（Ｂ）の第１コード読取画面５７０に遷移する。【０１２３】
図１４（Ｂ）の第１コード読取画面５７０には、コンテンツ登録端末２０のアウトカメラ２０３ｂ等で読み取っている画像（カード１０を束ねる帯等に表示されている第１コード２の画像）を表示するコード読取表示５７１と、コードの読み取りを指示する読取指示アイコン５７２が表示されている。【０１２４】
コンテンツ登録端末２０のユーザが、コード読取表示５７１の表示内容を確認して、読取指示アイコン５７２をタッチすると、コンテンツ登録端末２０のコンテンツ登録部２５２は、アウトカメラ２０３ｂ等で第１コード２を読み取るよう制御し、読み取られた画像をテキストに変換して、そこからグループコードを取得する。次に、コンテンツ登録部２５２は、コンテンツ管理サーバ４０にアクセスし、取得したグループコードに対応するキーコードをコンテンツ管理テーブル４７１から取得し、これらのキーコードを、図１５のコンテンツ登録確認画面５８０に表示する。【０１２５】
例えば、カード１０の帯等に表示された第１コード２を読み取った結果得られたグループコードが「Ｇ００１」である場合、そのグループコードがグループコード表示５８１に表示され、このグループコードに対応するキーコード（００００１〜００００５）が、コンテンツ登録確認画面５８０のキーコード表示５８２に一覧表示される。【０１２６】
キーコード表示５８２には、キーコードそれぞれに対応付けられたチェックボックスが表示され、ユーザは、配布する個別カードに応じて、このチェックボックスをチェックする。これによって、ユーザが入手したカード１０の一部を配布して、コンテンツ５を再生可能とする場合（例えば、５枚組のカード１０を購入したが、そのうち４枚しか使わない場合）に、有効なカードを限定的に指定することができる。この例では、キーコード（００００５）の個別カードは、何らかの理由で配布しない（利用しない）つもりであるため、対応するチェックボックスのチェックがされていない状態となっている。また、ここで、キーコードを、対応する個別カードに表示するようにしてもよい。【０１２７】
ここで、ユーザが「Ｄｏｎｅ」アイコン５８３をタッチすると、チェックされたキーコードとコンテンツ５が紐付けられてコンテンツ管理サーバ４０に送られ、これらの対応関係が、コンテンツ管理テーブル４７１に記憶される。【０１２８】
また、本発明のコンテンツ管理システム１では、複数のグループコードに対応するキーコードを、１つのコンテンツ５に紐付けるようにすることもできる。例えば、２５人に個別カードを配布しようとする場合に、１０枚組のカード１０を２セット、５枚組のカード１０を１セット購入し、図１４（Ｂ）の第１コード読取画面５７０で、それぞれのカード１０の（帯等に表示されている）第１コード２を繰り返し読み取ることによって、これらに対応する３つのグループコードに含まれるキーコードがすべてコンテンツ登録確認画面５８０のキーコード表示５８２に一覧表示される。ここで、「全てチェック」アイコン５８４をタッチすることにより、２５枚の個別カードのそれぞれに１つのコンテンツ５を紐付けることができる。【０１２９】
次に、本発明に係るコンテンツ管理システム１における、さらに別のカード１０に関するコンテンツの紐付けについて説明する。図１６（Ａ）に示すカード１０は、個別カードが紙製カード１０Ｅで構成され、複数の個別カードが含まれる。紙製カード１０Ｅは、帯やフィルムで１つにまとめられており、帯１２Ｅには、第１コード２が印刷等により表示されている。【０１３０】
複数の個別カードには、それぞれ第２コード３が印刷等により表示されている。この例では、それぞれの個別カードの第２コード３に共通のＵＲＬが含まれ、個別カードの下部に、それぞれ異なるシリアルコードが表示されている。この場合、コンテンツ視聴者は、図２（Ａ）に示す紙製カード１０Ａと同様に、コンテンツ視聴端末３０により第２コード３を読み取り、そこから得られるＵＲＬにアクセスすることによってコンテンツ５を再生・表示させる。【０１３１】
シリアルコードは、コンテンツ提供者がその内容を視認することができ、それによって紙製カード１０Ｅのなかの個別カードを識別することができる。コンテンツ視聴者は基本的に、このシリアルコードを直接利用することはない。【０１３２】
また、図１６（Ｂ）に示すように、コンテンツ管理テーブル４７１’では、１つのグループコードに対して複数のキーコードとシリアルコードが対応付けられている。グループコードは、ひとまとまりの紙製カード１０Ｅに対応するコードであり、帯等に表示されている第１コード２に含められ、シリアルコードは、紙製カード１０Ｅのそれぞれに表示された、カード自体の製造個体番号であり、キーコードは、例えば、上記のシリアルコードや他のコード等を含む文字列を独自のアルゴリズムで暗号化したコードである。また、キーコードは、それぞれの個別カードに表示されている第２コード３から得られる個別コードに含まれる。【０１３３】
ここで、コンテンツ提供者がコンテンツ５をカード１０に紐付ける場合、コンテンツ登録端末２０のコンテンツ登録部２５２は、コンテンツ管理サーバ４０にアクセスし、取得したグループコードに対応するシリアルコードをコンテンツ管理テーブル４７１’から取得し、これらのシリアルコードを、図１７に示すコンテンツ登録確認画面５９０に表示する。コンテンツ登録確認画面５９０は、図１１ないし図１４に示すコンテンツ５の作成から、コンテンツ管理サーバ４０へのコンテンツ５の登録の流れにおいて示される、図１５のコンテンツ登録確認画面５８０と同様の画面である。【０１３４】
例えば、カード１０の帯等に表示された第１コード２を読み取った結果得られたグループコードが「Ｇ００１」である場合、そのグループコードがグループコード表示５９１に表示され、このグループコードに対応するシリアルコード（Ｓ０００１〜Ｓ０００５）が、コンテンツ登録確認画面５９０のシリアルコード表示５９２に一覧表示される。【０１３５】
シリアルコード表示５９２には、シリアルコードそれぞれに対応付けられたチェックボックスが表示され、ユーザは、配布する個別カードに応じて、このチェックボックスをチェックする。これによって、ユーザが入手したカード１０の一部を配布して、コンテンツ５を再生可能とする場合（例えば、５枚組のカード１０を購入したが、そのうち３枚しか使わない場合）に、有効なカードを限定的に指定することができる。さらに、シリアルコード表示５９２に表示されたシリアルコードは、カード１０にも表示されているため、コンテンツ登録確認画面５９０と個別カードのそれぞれを見比べて、カード１０の個別カードを個々に選択してコンテンツ５と紐付けることができる。例えば、５枚１組となったカード１０のそれぞれに異なる写真が印刷されたグリーティングカードの場合、趣旨と異なる写真が印刷された個別カードをコンテンツ５に紐付けないようにすることができる。この例では、シリアルコード（Ｓ０００２）の個別カードと、シリアルコード（Ｓ０００５）の個別カードは、配布しない（利用しない）つもりであるため、対応するチェックボックスのチェックがされていない状態となっている。【０１３６】
ここで、ユーザが「Ｄｏｎｅ」アイコン５９３をタッチすると、チェックされたシリアルコードとコンテンツ５が紐付けられてコンテンツ管理サーバ４０に送られ、これらの対応関係が、コンテンツ管理テーブル４７１’に記憶される。【０１３７】
また、図１５に関して説明したように、ここでも、複数のグループコードに対応するシリアルコードを、１つのコンテンツ５に紐付けるようにすることができる。【０１３８】
またさらに、本発明に係るコンテンツ管理システム１では、図９（Ａ）に示すコンテンツ管理テーブル４７１や図１６（Ｂ）に示すコンテンツ管理テーブル４７１’に、コンテンツ閲覧開始日時、及びコンテンツ閲覧終了日時の少なくともいずれかを定義し、コンテンツ視聴端末３０におけるコンテンツ５の視聴可能日時を制限するよう制御することができる。【０１３９】
例えば、コンテンツ提供者がコンテンツ登録端末２０を操作して、コンテンツ閲覧開始日時を設定すると、コンテンツ管理サーバ４０は、カード１０の個別カードに対応付けられたコンテンツ５が、設定した日時を過ぎないと閲覧できないように制御する。同様に、コンテンツ提供者が、コンテンツ閲覧終了日時を設定した場合、コンテンツ管理サーバ４０は、カード１０の個別カードに対応付けられたコンテンツ５が、設定した日時を過ぎた後は閲覧できないように制御する。【０１４０】
また、コンテンツ提供者は、図１１ないし図１５に示すようなコンテンツ登録端末２０の操作によって、コンテンツ５を個別カードに対応付けた後で、さらに、別のコンテンツ５’（例えば、コンテンツ５の内容を一部変更したコンテンツ）を登録し、条件に応じて、コンテンツ５の代わりにコンテンツ５’を、コンテンツ視聴者がコンテンツ視聴端末３０で閲覧できるようにしてもよい。また、その際に、コンテンツ５’の閲覧時間を制限するために、上述のコンテンツ閲覧開始日時やコンテンツ閲覧終了日時をコンテンツ５’に関して設定することができる。【０１４１】
このようなコンテンツ閲覧開始日時やコンテンツ閲覧終了日時は、グループコードごと、又はキーコードごと（個別カードごと）に設定することができる。【０１４２】
次に、図１８のフローチャートを参照して、コンテンツ視聴端末３０におけるコンテンツ５の視聴が、コンテンツ管理サーバ４０をアクセスしてどのように行われるかを概略説明する。図１８のフローチャートでは、コンテンツ視聴端末３０の処理とコンテンツ管理サーバ４０の処理が、それぞれ時系列に示されている。また、この例では、コンテンツ管理サーバ４０をストリーミングサーバとしたストリーミング再生が行われる例を示している。【０１４３】
最初に、コンテンツ視聴端末３０は、ユーザの操作により、ユーザが受領した個別カードに表示された第２コード３を撮像装置で読み取る（ステップＳ１１）。ここで、第２コード３は、例えば、２次元コードである。次に、読み取った第２コード３の画像から、テキストデータである個別コードを求める（ステップＳ１２）。個別コードは、前述したように、ＵＲＬであり、ＵＲＬの一部、又はパラメータとして、キーコードの指定が含まれる。その後、ステップＳ１３において、取得したＵＲＬに対してＨＴＴＰリクエストを送信する。【０１４４】
ステップＳ１１ないしステップＳ１３は、例えば、コンテンツ視聴端末３０が標準的に備える、２次元コード読み取りアプリを用いて行うことができる。なお、ここでは、２次元コードである第２コード３を撮像装置で読み取ったが、個別カードに印刷されたＵＲＬや、ＵＲＬとアクセスコードをユーザが手入力するようにしてもよい。また、個別カードがＩＣカード１５ＡやＩＣカード１５Ｂのような非接触ＩＣカードである場合、個別コードが非接触ＩＣカードリーダ／ライタによって、ＩＣカードリーダ／ライタにＩＣチップから読み出される。【０１４５】
コンテンツ管理サーバ４０は、コンテンツ視聴端末３０からＨＴＴＰリクエストを受信すると（ステップＳ１４）、コンテンツ管理テーブル４７１を参照し、受信したキーコードに対応するコンテンツ５のコンテンツファイルを特定する（ステップＳ１５）。ここで、コンテンツファイルを特定できなかった場合は、コンテンツ視聴端末３０でエラーメッセージ等を表示するよう指示するように構成できるが、この処理については省略する。【０１４６】
キーコードに対応するコンテンツ５のコンテンツファイルを特定した後、所定のＨＴＴＰレスポンスをコンテンツ視聴端末３０に送信する（ステップＳ１６）。【０１４７】
コンテンツ視聴端末３０は、コンテンツ管理サーバ４０から受信したＨＴＴＰレスポンスに応じて、そのレスポンスに個別に適用した専用端末アプリがコンテンツ視聴端末３０に導入されているか否かを判定する（ステップＳ１７）。専用端末アプリが導入されている場合（ステップＳ１７のＹＥＳ）、その端末アプリを起動し、コンテンツ再生画面（不図示）をコンテンツ視聴端末３０のタッチスクリーンに表示する（ステップＳ１８）。【０１４８】
専用端末アプリが導入されていない場合（ステップＳ１７のＮＯ）、標準のＷＥＢブラウザを起動し、コンテンツ再生画面（不図示）をコンテンツ視聴端末３０のタッチスクリーンに表示する（ステップＳ１９）。また、専用端末アプリが導入されていない場合、その専用端末アプリを導入するための画面を表示するようにしてもよい。【０１４９】
次に、ステップＳ２０において、コンテンツ視聴端末３０のユーザから、（例えば、タッチスクリーンに表示されたコンテンツ再生画面でプレイアイコンがタッチされるなど）再生指示がされたか否かを判定する。再生指示がない場合（ステップＳ２０のＮＯ）、ステップＳ２０の判定処理を繰り返し、再生指示がある場合（ステップＳ２０のＹＥＳ）、ステップＳ２１に進んで、コンテンツ管理サーバ４０との間で特定されたコンテンツファイルの再生を行う再生制御処理が行われる。他方、コンテンツ管理サーバ４０では、ステップＳ２２において、ストリーミング配信処理が開始され、所定のタイミングで、コンテンツ視聴端末３０にコンテンツファイルの一部のデータを送信する。【０１５０】
このとき、コンテンツ視聴端末３０からは、所定のタイミングでコンテンツ５の再生リクエストと、操作内容や、撮像装置・センサー等での検出結果に基づいてユーザ（視聴者）の視聴状況を示す視聴状況情報が、コンテンツ管理サーバ４０に送信される。一方、コンテンツ管理サーバ４０からは、コンテンツ視聴端末３０からの再生リクエストに応じて、ストリーミングの動画データがコンテンツ視聴端末３０に送信される。【０１５１】
コンテンツ管理サーバ４０において、再生中のコンテンツファイルの残りのデータがなくなったか否か、すなわち、コンテンツ５の再生が終了したか否かを判定し（ステップＳ２３）、コンテンツ５の再生が終了していない場合（ステップＳ２３のＮＯ）は、ステップＳ２２のストリーミング配信処理を繰り返し、コンテンツ５の再生が終了した場合（ステップＳ２３のＹＥＳ）は、その旨をコンテンツ視聴端末３０に伝え、コンテンツ視聴端末３０は、ステップＳ２４において、例えば、コンテンツ再生画面に再生終了のメッセージやマークを表示する等、再生終了処理を行う。【０１５２】
上述したように、図１８を参照して、コンテンツ視聴端末３０におけるコンテンツ５の視聴の方法を説明したが、このような方法は一例であって、これに限定されるものではない。個別カードに基づいてキーコードをどのように取得するかや、キーコードに基づいて特定されるコンテンツ５をどのような仕組みで再生表示するかなどについては、様々な方法が存在する。
【産業上の利用可能性】
【０１５３】
本発明に係るコンテンツ管理システムは、予め個別のコードが付与されている複数カードに対して、１つの代表コードのみを用いた容易な操作によってコンテンツを紐付けることができるため、このような複数カードの発行、流通、利用が促進される。
【図１】
2016199841.tif 000003
【図２】
2016199841.tif 000004
【図３】
2016199841.tif 000005
【図４】
2016199841.tif 000006
【図５】
2016199841.tif 000007
【図６】
2016199841.tif 000008
【図７】
2016199841.tif 000009
【図８】
2016199841.tif 000010
【図９】
2016199841.tif 000011
【図１０】
2016199841.tif 000012
【図１１】
2016199841.tif 000013
【図１２】
2016199841.tif 000014
【図１３】
2016199841.tif 000015
【図１４】
2016199841.tif 000016
【図１５】
2016199841.tif 000017
【図１６】
2016199841.tif 000018
【図１７】
2016199841.tif 000019
【図１８】
2016199841.tif 000020
【国際調査報告】
2016199841.tif 000021
2016199841.tif 000022
2016199841.tif 000023
2016199841.tif 000024